(57)【要約】【課題】使用前の外圧等によって容器内で異なる材料が混合する事態は生じることなく、混合すべき材料との適正及び安定性に優れているとともに汎用性が広く、操作性の良好な混合用容器を提供することを目的とする。【解決手段】開口部を有する容器本体２と、容器本体２内に収納された袋状の隔壁膜１５と、隔壁膜１５によって容器本体２内に隔成された複数の室１６ａ，１６ｂと、隔壁膜１５と容器本体２の内周壁（２ｂ＋２ｃ）との間に固着された断裂帯１７と、断裂帯１７に固定され容器本体２の開口部から外部へ導出された引出部材６とからなり、引出部材６の操作によって断裂帯１７を断裂させることにより隔壁膜１５を反転させて容器本体２外に取り出し可能に構成した混合用容器を提供する。【選択図】図１
2006335462.tif 000002
【特許請求の範囲】
【請求項１】
反転させて容器本体外へ取り出し可能な袋状の隔壁膜によって容器本体を複数の室に隔成してなることを特徴とする混合用容器。
【請求項２】
開口部を有する容器本体と、容器本体内に収納された袋状の隔壁膜と、隔壁膜によって容器本体内に隔成された複数の室と、隔壁膜と容器本体の内周壁との間に固着された断裂帯と、断裂帯に固定され容器本体の開口部から外部へ導出された引出部材とからなり、引出部材の操作によって断裂帯を断裂させることにより隔壁膜を反転させて容器本体外に取り出し可能に構成したことを特徴とする混合用容器。
【請求項３】
容器本体の内部を袋状の隔壁膜によって複数の室に隔成し、隔壁膜と容器本体の内周壁との間に断裂帯を固着するとともに、断裂帯に固定された引出部材を容器本体の開口部から外部へ導出したことにより、引出部材の操作によって断裂帯を断裂させ、隔壁膜を反転させて容器本体の開口部から外部に取り出すことにより、隔壁膜によって容器本体内に隔成された複数の室に充填されている異なる材料を一体に混合するようにしたことを特徴とする混合用容器。
【請求項４】
容器本体と容器上部及び蓋部材を備え、容器本体の内周壁に断裂帯を介して固着された袋状の隔壁膜によって容器本体に複数の室を隔成し、断裂帯に固定されて外部に導出された引出部材の操作によって断裂帯を断裂させ、隔壁膜を反転させて容器本体外に取り出すことにより、隔壁膜によって容器本体内に隔成された複数の室に充填されている異なる材料を一体に混合するようにしたことを特徴とする混合用容器。
【請求項５】
隔壁膜は、中空円筒状に形成された開口部と、開口部に連接された扁平状の舌部とからなる請求項１，２，３又は４記載の混合用容器。
【請求項６】
隔壁膜の開口部の外周面に接着帯を形成することにより、反転させて容器本体外に取り出した隔壁膜の開口部を接合する請求項５記載の混合用容器。
【請求項７】
引出部材は隔壁膜内から隔壁膜を貫通して断裂帯に固定されている請求項１，２，３，４，５又は６記載の混合用容器。
【発明の詳細な説明】
【技術分野】
【０００１】
本発明は複数種の異なる材料を１つの容器内に各々を分離して収納保持し、使用時に容器内で一体に混合するようにした混合用容器に関するものである。
【背景技術】
【０００２】
従来から医療用輸液とか消化管撮影のための硫酸バリウム懸濁液，薬液，染毛剤，各種飲料等の種々の分野において、複数種の異なる材料を使用時までは１つの容器内に分離して収納保持し、使用時に容器内で一体に混合する手段が用いられている。例えば、硫酸バリウム懸濁液は、乳化剤，水等を添加して懸濁液を作成する必要があり、使用前に硫酸バリウム懸濁液作成用粉末を水に溶解して作成するのが最良とされており、懸濁させた状態で保存，流通させると、写りが悪くなったり、口当たりが悪くなったりする等硫酸バリウム懸濁液としての性能が低下してしまう。
【０００３】
また、各種飲料，例えば野外にてウイスキーの水割り，焼酎のレモン水割りなどを飲用する場合に、一つのコップ状容器内に水とウイスキー等を混合しないように分離して封入した製品が販売されており、購入者が飲用時に開封すると、ウイスキー等と水が混合してウイスキーの水割り等が自動的にできる二液混合容器が提供されている。
【０００４】
特許文献１には第１容器内に第２容器を挿入して両者の開口部を密封した二液混合容器において、前記第２容器の底部は流通口を有するとともに、第１容器の内底部と第２容器の底部間にシール手段を設けて構成し、第２容器を開封して第１容器から外すと第１容器内の液体と第２容器内の液体とが混合するようにした二液混合容器が開示されている。
【０００５】
特許文献２には外周端部の周辺部にシール部を設けて袋体を構成し、該袋体を二室に区画する仮接着部を設け、該仮接着部により区画した二室のそれぞれに別種の内容物を収納し、使用時に前記の仮接着部を剥離させて別種の内容物を混合し得る混合用二連袋であり、かつ、該二連袋体を構成する積層体が外側から内側に向かって少なくとも耐熱性基材フィルム及びヒートシール性フィルム又は耐熱性基材フィルム、気体遮断性フィルム及びヒートシール性フィルムを順次に積層した構成からなり、上記のヒートシール性フィルムとして、エチレン−プロピレンコポリマーを主成分とし、これにオレフィン系ゴム成分を添加してなる組成物からなる無延伸ポリプロピレン系樹脂フィルムを使用したレトルトパウチが記載されている。
【０００６】
特許文献３には第１液充填口を備え、第１液を収容する内容器と第２液充填口を備え、第２液を収容する外容器とからなり、外容器に液吐出口を設け、内容器は第１液流出口に被着されているキャップを外容器の内部にて開封可能とされてなる２液混合容器において、内容器の第１液充填口が外容器の外面側に配置され、内容器に被着されるキャップは、第１液流出口の外周部に設けたキャップ係止部に係止し得る環状爪を備えた内筒部と、内筒部回りに一体成形された外筒部とを備え、キャップの被着状態下で外筒部の環状下端部は内容器の第１液流出口の付け根である肩部の斜面に対面配置され、外容器は、外容器内に組立保持された内容器のキャップ回りに対応する位置で、外容器の直径方向２位置に開封操作部を備え、外容器の開封操作部を挟圧する開封外力により、キャップの外筒部の変形を介して内筒部の環状爪を内容器のキャップ係止部から係止解除し、外筒部の下端部を内容器の肩部斜面に衝合しながら縮径させて外筒部の下端部を該肩部斜面にガイドさせて持ち上げ、キャップを第１液流出口から離脱せしめるようにした２液混合容器が開示されている。
【特許文献１】特開平６−２７０９６９号公報
【特許文献２】特開平９−２１６６４０号公報
【特許文献３】特許第３１０００９０号
【発明の開示】
【発明が解決しようとする課題】
【０００７】
しかしながら、前記したように硫酸バリウム懸濁液は使用前に硫酸バリウム懸濁液作成用粉末を水に溶解して作成するのが最良であるが、作成後は時間の経過とともに硫酸バリウム懸濁液の性能が低下するため、検診直前に水量を測って容器に注入しなければならず、特に集団検診時に胃検診バスを使用して巡回検診する際の水の確保及び衛生上の観点からも問題がある。
【０００８】
更に作成済み硫酸バリウム懸濁液は冬季に凍結すると解凍しても使用することができない。底部に沈殿した硫酸バリウムは固化しやすく、懸濁液状態に戻すには濃度が高いほど長時間容器を振らねばならず、多くの労力と時間を要するという難点がある。更に、保存性と性能確保のため、硫酸バリウム粉末や添加物を多量に使用しなければならないので、口あたりが悪くなる上、コストアップを招来してしまうという問題がある。
【０００９】
各種飲料用の二液混合容器，例えば一つのコップ状容器内に水とウイスキーを混合しないように封入した製品の場合にも外圧による圧迫でコップの破損とか封入部の破断が生じる惧れがある。
【００１０】
染毛剤の場合は２剤を混合させて使用するのが一般的であるが、２剤の混合時に容器を倒立させたり薬剤をこぼしたりする事態が発生して周囲の環境を汚染するという問題がある。
【００１１】
また、前記レトルトパウチの二連袋においては、流通時において二連袋が外圧を受けて圧迫されることにより、仮接着部が簡単に剥離したり逆に剥離不良を起こすことがあり、仮接着部が簡単に剥離した場合には別種の内容物が二連袋内で混合してしまうという問題点がある。更に従来の混合用二連袋においては、固体と液体など種類の異なる内容物を混合する際に仮接着部の剥離不全が発生しやすく、十分に内容物の混合ができないという課題がある。
【００１２】
また、接着部を外力により破断するタイプの二連袋では、接着される部分に破断し易い材質を使用する必要があり、その材質と収納された材料との適性が合わない等の問題点があり、内容物が限定されるとともに混合用容器として使える汎用性が狭いという問題がある。従って接着部の剥離不全が発生せず、収納された材料との安定性に優れているとともに汎用性が広く、操作性も良好な混合用容器が求められているのが現状である。
【００１３】
そこで本発明は上記従来の問題点に鑑みて、使用前の外圧の圧迫等によって容器内で異なる材料が混合する事態が生じることなく、混合すべき材料との適正及び安定性に優れているとともに汎用性が広く、操作性の良好な混合用容器を提供することを目的とするものである。
【課題を解決するための手段】
【００１４】
本発明は上記目的を達成するために、反転させて容器本体外へ取り出し可能な袋状の隔壁膜によって容器本体を複数の室に隔成してなる混合用容器を提供する。具体的には、開口部を有する容器本体と、容器本体内に収納された袋状の隔壁膜と、隔壁膜によって容器本体内に隔成された複数の室と、隔壁膜と容器本体の内周壁との間に固着された断裂帯と、断裂帯に固定され容器本体の開口部から外部へ導出された引出部材とからなり、引出部材の操作によって断裂帯を断裂させることにより隔壁膜を反転させて容器本体外に取り出し可能に構成した混合用容器、容器本体の内部を袋状の隔壁膜によって複数の室に隔成し、隔壁膜と容器本体の内周壁との間に断裂帯を固着するとともに、断裂帯に固定された引出部材を容器本体の開口部から外部へ導出したことにより、引出部材の操作によって断裂帯を断裂させ、隔壁膜を反転させて容器本体の開口部から外部に取り出すことにより、隔壁膜によって容器本体内に隔成された複数の室に充填されている異なる材料を一体に混合するようにした混合用容器を提供する。
【００１５】
更に、容器本体と容器上部及び蓋部材を備え、容器本体の内周壁に断裂帯を介して固着された袋状の隔壁膜によって容器本体に複数の室を隔成し、断裂帯に固定されて外部に導出された引出部材の操作によって断裂帯を断裂させ、隔壁膜を反転させて容器本体外に取り出すことにより、隔壁膜によって容器本体内に隔成された複数の室に充填されている異なる材料を一体に混合するようにした混合用容器を提供する。そして、隔壁膜は、中空円筒状に形成された開口部と、開口部に連接された扁平状の舌部とからなる構成、隔壁膜の開口部の外周面に接着帯を形成することにより、反転させて容器本体外に取り出した隔壁膜の開口部を接合する構成、及び引出部材は隔壁膜内から隔壁膜を貫通して断裂帯に固定されている構成を提供する。
【発明の効果】
【００１６】
本発明にかかる混合用容器によれば、反転させて容器本体外へ取り出し可能な袋状の隔壁膜を採用したことにより、外圧に強い容器本体を選択することが可能であり、しかも複数の室を隔成するための隔壁膜と容器本体の内周壁との間を断裂帯によって固着したので、従来の混合用容器のように仮接着部の剥離及び剥離不全が発生しない上、使用時には引出部材を上方に引き上げるという簡易な作業を行えばよいため、操作性に優れているとともに収納する材料が限定されることがなく、汎用性を広げることができる。
【００１７】
特に硫酸バリウム懸濁液のように使用前に硫酸バリウム懸濁液作成用粉末を水に溶解して作成するケースでは、巡回検診時の水の確保及び検診直前に水量を測って容器に注入する等の煩瑣な操作は要求されず、粉末と水量で適正量に収納しておくことにより、迅速に最適な品質のものを製造することができる。そのため、粉末や添加物を多量に使用する必要がないので口あたりも良好であって最良の巡回検診が可能となり、操作性とともに衛生上の観点からも好ましい混合用容器が得られる。
【００１８】
また、染毛剤に適用した場合には混合時の容器の倒立とか薬剤のこぼれによる環境汚染の惧れはなくなり、迅速に最適の状態に混合することができて、薬剤の調合斑が生じるおそれがない。
【００１９】
従って本発明によれば、使用前の輸送時や保管時において外圧による圧迫等によって意に反して容器内で材料が混合されるといった事態が発生せず、混合すべき材料を使用時まで安定した状態で分離することができ、使用時には操作性に優れて適正な混合物を得ることができる汎用性の高い混合用容器を提供することができる。
【発明を実施するための最良の形態】
【００２０】
以下図面に基づいて本発明にかかる混合用容器の最良の実施形態を説明する。図１は本発明にかかる混合用容器１の第１実施形態を全体的に示す側面図であり、この混合用容器１は外見上から容器本体２と容器上部３及び蓋部材４を基本構成としており、蓋部材４の上端部には蓋体５がヒンジ５ａにより開閉自在に配備されている。６は引出部材としての引出紐、７は引出紐の先端部に固着された操作環である。
【００２１】
図２は蓋部材４の側面断面図、図３は同正面断面図である。蓋部材４は筒状外壁８と、筒状外周壁８の上端開口部を被覆する上壁９と、上壁９の中心部を横切る位置に穿設された溝部１１と、溝部１１から垂下して対向する一対の内壁１０とを備えており、筒状外壁８の内側にはねじ切り部８ａが刻設されている。一対の内壁１０は溝部１１と連通して上壁９の中心部を横切る位置に対向して配設されているとともに、溝部１１に近接する内方部位には対向して一対の水分の吸着パッド１２が貼着されており、水分吸着パッド１２の下方部分には対向する一対のへら１３が計３組突設されている。
【００２２】
図４は容器上部３の構造を示す正断面図であり、この容器上部３は上下方向の両端部が開口した中空筒状体であって、上方に伸びるやや小径の筒状突出部１４が形成され、この筒状突出部１４の外壁面にねじ切り部１４ａが刻設されており、径大の下方内壁面にはねじ切り部１４ｂが刻設されている。従って容器上部３に蓋部材４を嵌合する際には、筒状外壁８の内側に刻設されたねじ切り部８ａと容器上部３の筒状突出部１４の外壁面に刻設されたねじ切り部１４ａとが噛み合って密に螺合固定される。図５は容器上部３に蓋部材４を螺合固定して蓋体５を開けた状態を示す側面断面図、図６は蓋体５を閉じた状態を示す正面断面図であり、筒状外壁８の上壁９の円周部に立設された環状凸部９ａに蓋体５の内面の円周部に穿設された環状凹部５ｂが嵌合することにより、蓋部材４に蓋体５が密閉封止される。なお、蓋体５は内容物を混合するまでは開口され、図１に示すように引出紐６の先端と操作環７が溝部１１から外部に繰り出されている。
【００２３】
図７は容器本体２から容器上部３及び蓋部材４を取り外した状態を示す側面図であり、この容器本体２は有底円筒状体であって上端外壁面にねじ切り部２ａが刻設されている。従って容器本体２に容器上部３を嵌合する際には、容器本体２の上端外壁面に刻設されたねじ切り部２ａと容器上部３の下方内壁面に刻設されたねじ切り部１４ｂとが噛み合って密に螺合固定される。なお、容器本体２，容器上部３，蓋部材４の形状に限定はなく、他の形状であっても差し支えない。
【００２４】
図８は容器本体２の内部構成を示す側面断面図、図９は同正面断面図、図１０は図１のＡ−Ａ断面図、図１１は隔壁膜を取り除いた後の図１のＡ−Ａ断面図であり、この容器本体２の内部は袋状の隔壁膜１５によって第１室１６ａと第２室１６ｂとに隔成されている。隔壁膜１５は袋状であって、図１２に示すように、中空円筒状に形成された開口部１５ａと開口部１５ａに連接された袋状部材を扁平に形成した舌部１５ｂとからなる。図８に示すように、開口部１５ａの外周部は断裂体１７が熱融着部１８を介して容器本体２の側壁２ｂに固着されているとともに、断裂体１７より上方に位置する開口部１５ａの外周部には接着帯２１が形成されて、容器本体２の側壁２ｂの上端部近傍に剥離可能に接着されている。この接着帯２１は後述するように、隔壁膜１５を反転させて容器本体２外に取り出したときに、その開口部１５ａを閉止するためのものである。なお、断裂体１７と熱融着部１８は一体成形されており、断裂体１７の一部が熱融着部１８として形成されているものである。
【００２５】
隔壁膜１５から下方に連接された舌部１５ｂは、容器本体２の中心部を通って該容器本体２の側壁２ｂ及び底壁２ｃにまで達し、断裂帯１７を介して側壁２ｂ及び底壁２ｃと固着されている。即ち、断裂帯１７は隔壁膜１５の開口部１５ａの外周面及び舌部１５ｂの外周部に熱融着等の適宜の手段によって固着されると共に、容器本体２の側壁２ｂ及び底壁２ｃとの間に熱融着部１８を介して固着されている。よって、容器本体２は隔壁膜１５によって、第１室１６ａと第２室１６ｂとに液密状態で隔成されている。
【００２６】
容器本体２の底壁２ｃには、前記第１室１６ａと第２室１６ｂにそれぞれ異なる材料を充填するための注入口２０ａ，２０ｂが開口されている。この注入口２０ａ，２０ｂは異なる材料が充填された後は熱シール等の適宜の手段にて閉塞される。
【００２７】
図１３は図１０のＢ−Ｂ要部断面図、図１４は図１０のＣ−Ｃ要部断面図であり、底壁２ｃと舌部１５ｂとの間に固着された断裂帯１７には断裂開始用の切込部１７ａが形成されており、切込部１７ａの近傍に隔壁膜１５内から舌部１５ｂを貫通した引出紐６の一端が固定され、他端が隔壁膜１５内を通って上方に導出されている。
【００２８】
かかる第１実施形態にかかる混合用容器の使用形態を以下に説明する。先ず容器本体２内に隔壁膜１５を前記したように接合固定してセットすることにより容器本体２の上方開口部を閉止し、その後容器上部３と蓋部材４を螺合固定することによって、図８に示したように容器本体２の底壁２ｃに開口された注入口２０ａ，２０ｂから第１室１６ａと第２室１６ｂに使用時に混合すべき異なる材料を夫々注入充填し、注入口２０ａ，２０ｂを密に閉塞する。注入される材料は、液体，粉体，固体もしくは液体と粉体及び固体の組み合わせであっても良い。
【００２９】
使用時には、手操作により蓋部材４の上壁９に形成された溝部１１から外部に導出されている引出紐６の先端に固着された操作環７を把持して引出紐６を上方に引き上げる。この引き上げ操作によって図１３，図１４に示す隔壁膜１５の舌部１５ｂの外周部に固着された断裂帯１７が切込部１７ａから断裂し、袋状の舌部１５ｂが内側に反転しながら蓋部材４の内壁１０，１０内を通過して上方に引き上げられる。断裂帯１７が断裂することによって容器本体２内の第１室１６ａと第２室１６ｂに充填されている異なる材料が一体に混合される。
【００３０】
そして、引出紐６の引き上げ操作を継続することにより、隔壁膜１５が断裂帯１７から剥離し、次に接着帯２１からも剥離して容器本体２から完全に離反するとともに、反転した開口部１５ａが接着帯２１によって閉止される。第１室１６ａと第２室１６ｂに充填されている材料のどちらかもしくは双方が液体である場合には、図３に示した複数個のへら１３，１３によって隔壁膜１５の舌部１５ｂがしごかれ、更に吸着パッド１２，１２によって濡れている部分の水分が吸着されることにより、余分な水分が除去されるので、充填材料が外部に漏れる問題は生じない。図１５は隔壁膜１５が容器本体２内から容器上部３及び蓋部材４内を通過して外部に取り出された状態を示している。
【００３１】
上記動作態様によれば、予め第１室１６ａと第２室１６ｂに保持収納されている材料、例えば硫酸バリウム懸濁液作成用粉末と水とを使用直前に一体に混合して硫酸バリウム懸濁液を作成するという使用形態を容易に実現することができる。また、第１室１６ａと第２室１６ｂにウイスキーと水もしくは焼酎とレモン水を充填しておくことにより、野外にて飲料用としてのウイスキーの水割りとか焼酎のレモン水割りなどを簡単に作成することができる。
【００３２】
図１６は本発明の第２実施例を示す要部平断面図、図１７は第２実施例の容器本体２の内部構成を示す側面断面図であり、この例は容器本体２の内部が袋状の隔壁膜１５によって第１室１６ａと第２室１６ｂ及び第３室１６ｃの計３室に隔成された構成例を示している。他の構成要素は前記第１実施例と一致している。
【００３３】
かかる第２実施例によれば、第１室１６ａ，第２室１６ｂ，第３室１６ｃ内にトリートメント剤，Ａ液，Ｂ液から成る染毛剤、或いはレモン，水，ウイスキーからなるアルコール飲料、更には焼酎，水，梅からなるアルコール飲料等の異なる３種類の材料を混合しない状態で保持収納し、使用時に容器本体２内で混合して目的とする別の材料等を作成するという使用形態を採ることができる。
【産業上の利用可能性】
【００３４】
以上詳細に説明したように、本発明によれば固体と液体など種類の異なる材料を混合する場合でも仮接着部の剥離及び剥離不全が発生しない上、使用時には引出部材を上方に引き上げるという簡易な作業を行えば良いため、操作性に優れているとともに隔壁膜と収納された材料との適性も良好であって収納する材料が限定されることがなく、汎用性を広げることができるため、医療用輸液とか消化管撮影硫酸バリウム懸濁液の容器，薬液，レトルトパウチの混合用容器，染毛剤等の外、ウイスキーの水割り，焼酎のレモン水割りなどの飲料用としても利用することができる。
【図面の簡単な説明】
【００３５】
【図１】本発明にかかる混合用容器の第１実施例を全体的に示す側面図。
【図２】蓋部材の側面断面図。
【図３】蓋部材の正面断面図。
【図４】容器上部の構造を示す正断面図。
【図５】蓋部材の蓋体を開けた状態を示す側面断面図。
【図６】蓋体を閉じた状態を示す正面断面図。
【図７】容器本体の側面図。
【図８】容器本体の内部構成を示す側面断面図。
【図９】容器本体の正面断面図。
【図１０】図１のＡ−Ａ断面図。
【図１１】隔壁膜を取り除いた後の図１のＡ−Ａ断面図。
【図１２】隔壁膜と舌部の形状を示す斜視図。
【図１３】図１０のＢ−Ｂ要部断面図。
【図１４】図１０のＣ−Ｃ要部断面図。
【図１５】隔壁膜が容器本体の外部に取り出された状態を示す側面図。
【図１６】本発明の第２実施例を示す要部平断面図。
【図１７】第２実施例の容器本体の内部構成を示す側面断面図。
【符号の説明】
【００３６】
１…混合用容器
２…容器本体
２ａ…ねじ切り部
２ｂ…側壁
２ｃ…底壁
３…容器上部
４…蓋部材
５…蓋体
５ｂ…環状凹部
６…引出紐
７…操作環
８…筒状外壁
９…上壁
９ａ…環状凸部
１０…内壁
１１…溝部
１２…吸着パッド
１３…へら
１４…筒状突出部
１５…隔壁膜
１５ｂ…舌部
１６ａ…第１室
１６ｂ…第２室
１７…断裂帯
１７ａ…切込部
１８…熱融着部
２０ａ，２０ｂ…注入口
２１…接着帯
【図１】
2006335462.tif 000003
【図２】
2006335462.tif 000004
【図３】
2006335462.tif 000005
【図４】
2006335462.tif 000006
【図５】
2006335462.tif 000007
【図６】
2006335462.tif 000008
【図７】
2006335462.tif 000009
【図８】
2006335462.tif 000010
【図９】
2006335462.tif 000011
【図１０】
2006335462.tif 000012
【図１１】
2006335462.tif 000013
【図１２】
2006335462.tif 000014
【図１３】
2006335462.tif 000015
【図１４】
2006335462.tif 000016
【図１５】
2006335462.tif 000017
【図１６】
2006335462.tif 000018
【図１７】
2006335462.tif 000019